【手続補正書】
【提出日】令和2年1月20日(2020.1.20)
【手続補正１】
【補正対象書類名】特許請求の範囲
【補正対象項目名】全文
【補正方法】変更
【補正の内容】
【特許請求の範囲】
【請求項１】
第１の減圧パネルと、
第２の減圧パネルと、
第３の減圧パネルと、
前記第１の減圧パネルと前記第２の減圧パネルとの間の第１の斜柱と、
前記第２の減圧パネルと前記第３の減圧パネルとの間の第２の斜柱と、を備え、
前記第２の減圧パネル及び前記第３の減圧パネルが、反対方向に配向され、
増大する圧力変化に対応して前記第１の減圧パネルの表面の凹部が増大するように、容器内部の圧力変化に対応して前記第１の減圧パネルにおいて前記容器が伸縮する、容器。
【請求項２】
前記凹部の増大が、前記表面の第１の部分が前記容器の内側に向かって移動し、前記表面の第２の部分が前記第１の部分とは異なる距離で前記容器の内側に向かって移動することを含む、請求項１に記載の容器。
【請求項３】
前記表面が、中央表面である、請求項２に記載の容器。
【請求項４】
前記第１の減圧パネルが、上面及び下面を含み、前記上面及び前記下面の凹部が、前記増大する圧力変化に対応して増大する、請求項３に記載の容器。
【請求項５】
前記上面の前記凹部の前記増大が、前記下面の前記凹部の前記増大とは異なる、請求項４に記載の容器。
【請求項６】
前記第１の減圧パネルの高さが、前記容器全高の少なくとも３分の１である、請求項１に記載の容器。
【請求項７】
前記第２の減圧パネル及び前記第３の減圧パネルが、それぞれ底辺を含み、前記第２の減圧パネルの前記底辺から前記第３の減圧パネルの前記底辺までの測定される距離が、前記容器全高の少なくとも３分の１である、請求項１に記載の容器。
【請求項８】
前記第２の減圧パネルの高さが、前記容器全高の少なくとも４分の１である、請求項１に記載の容器。
【請求項９】
前記第１の減圧パネルが、前記容器の長手方向軸に対して傾斜している２つの側辺を有する、請求項１に記載の容器。
【請求項１０】
前記第２の減圧パネル及び前記第３減圧パネルが、それぞれ底辺及び２つの側辺を含み、それぞれの減圧パネルの前記２つの側辺が、鋭角を形成する、請求項１に記載の容器。
【請求項１１】
前記第２の減圧パネル及び前記第３の減圧パネルが、三角形である、請求項１０に記載の容器。
【請求項１２】
前記増大する圧力変化に対応してそれぞれのパネルの前記底辺の凹部が増大するように、前記容器内部の圧力変化に対応して、前記容器が前記第２の減圧パネル及び前記第３の減圧パネルにおいて伸縮する、請求項１０に記載の容器。
【請求項１３】
前記容器が、初期容積を有し、前記容器の前記伸縮により前記初期容積が３％減少する、請求項１に記載の容器。
【請求項１４】
前記容器の前記伸縮により、前記初期容積が５％減少する、請求項１２に記載の容器。
【請求項１５】
前記容器が、前記第１の減圧パネル、前記第２の減圧パネル、及び前記第３の減圧パネルと交差する位置に、楕円形の水平断面を有する、請求項１に記載の容器。
【請求項１６】
前記第１の斜柱と前記第２の斜柱とが交差する、請求項１に記載の容器。
【請求項１７】
本体部分を備える容器であって、前記本体部分が、
２つの傾斜圧力調節領域と、
２つの三角形領域と、
それぞれの傾斜圧力調節領域と三角形領域との間の少なくとも１つの柱と、を含み、
それぞれの傾斜圧力調節領域が、第１の表面、第２の表面、及び第３の表面を含み、
前記第１の表面、前記第２の表面、及び前記第３の表面が、互いに垂直にオフセットされ、それぞれが、前記容器内の圧力の変化に対応して前記本体の内側へ向かって湾曲するように構成されている、容器。
【請求項１８】
それぞれの傾斜圧力調節領域が、グリップ部を含む、請求項１７に記載の容器。
【請求項１９】
前記グリップ部が、離間したリブを含む、請求項１７に記載の容器。
【請求項２０】
高温状態で充填され、次に密閉された液体の貯蔵用の容器であって、右上角部及び左下角部を有する圧力調節パネルを備え、
前記容器が密閉される場合、前記右上角部及び前記左下角部が前記容器の内側に向かって移動するように、前記圧力調節パネルが元の形状からねじれるように構成され、密閉が解除される場合、前記圧力調節パネルが元の形状に戻るように構成されている、容器。
【請求項２１】
前記ねじれが、前記液体の冷却により開始される、請求項２０に記載の容器。
【請求項２２】
前記第１の減圧パネルの高さは前記第２の減圧パネルの高さ及び前記第３の減圧パネルの高さの高さよりも大きく、
前記第１の減圧パネルは前記第２の減圧パネルに隣接して水平に配置されており、
前記第２の減圧パネルは前記第３の減圧パネルに隣接して水平に配置されている、請求項１に記載の容器。
【請求項２３】
前記第１の表面は前記傾斜圧力調節領域の上部分、前記第２の表面は前記傾斜圧力調整領域の中央部分、前記第３の表面は前記傾斜圧力調節領域の下部分であり、
前記容器が密封されているとき、前記傾斜圧力調節領域は、前記容器内の圧力変化に対応してねじれるように構成され、
前記上部分の水平断面と前記下部分の水平断面はそれぞれ、前記中央部分の水平断面よりも大きな非対称な凹部形状を有する、請求項１７に記載の容器。
【請求項２４】
第１の三角形圧力調節パネルと、
第２の三角形圧力調節パネルを有し、
前記第１の三角形圧力調節パネルと前記第２の三角形圧力調節パネルは反対方向に向けられており、
前記圧力調節パネルは、前記第１の三角形圧力調節パネルと前記第２の圧力調節パネルとの間に配置され、前記圧力調節パネルの側面は前記第１の三角形圧力調節パネル及び前記第２の三角形圧力調節パネルの側面と平行で、
前記圧力調節パネルは、前記容器が密封されているとき、体積の減少に対応してねじれる、請求項２０に記載の容器。
【手続補正２】
【補正対象書類名】明細書
【補正対象項目名】００６１
【補正方法】変更
【補正の内容】
【００６１】
【図１６Ａ】いくつかの実施形態による、第１の減圧パネルの凹部の変化の表現を示す。
【図１６Ｂ】いくつかの実施形態による、第１の減圧パネルの凹部の変化の表現を示す。
【図１６Ｃ】いくつかの実施形態による、第１の減圧パネルの凹部の変化の表現を示す。
【図１６Ｄ】いくつかの実施形態による、第１の減圧パネルの凹部の変化の表現を示す。
【図１６Ｅ】いくつかの実施形態による、第１の減圧パネルの凹部の変化の表現を示す。
【図１６Ｆ】いくつかの実施形態による、第１の減圧パネルの凹部の変化の表現を示す。
【手続補正３】
【補正対象書類名】明細書
【補正対象項目名】００７４
【補正方法】変更
【補正の内容】
【００７４】
図４に示されるように、第２の減圧パネル４２０は、底辺４２０Ｂ、及び底辺４２０Ｂから延出する、容器１０００の長手方向軸Ｌに対して傾斜した少なくとも２つの側辺４２０Ｓを有する。第３の減圧パネル４２１は、底辺４２１Ｂ、及び底辺４２１Ｂから延出する、容器１０００の長手方向軸Ｌに対して傾斜した少なくとも２つの側辺４２１Ｓを有する。いくつかの実施形態では、及び図に示されるように、側辺４２０Ｓは、一点で交わり鋭角４２０Ａを形成する。いくつかの実施形態では、及び図に示されるように、側辺４２１Ｓは、一点で交わり鋭角４２１Ａを形成する。いくつかの実施形態では、第２の減圧パネル４２０及び第３の減圧パネル４２１は、三角形状を有する。
【手続補正４】
【補正対象書類名】明細書
【補正対象項目名】００７８
【補正方法】変更
【補正の内容】
【００７８】
いくつかの実施形態では、容器１０００は、上述のように第１の減圧パネル４１０のうちの１つが、容器１０００の右側に傾斜するような角度を有し、他の第１の減圧パネル４１０が、容器１０００の左側に傾斜するような角度を有するように配置された、２つの第１の減圧パネル４１０、２つの第２の減圧パネル４２０、及び２つの第３の減圧パネル４２１を含む。このような構成では、両方の第１の減圧パネル４１０は、同じ方向に（例えば、容器１０００の周囲周辺に時計回り又は反時計回りで）放射状に傾斜していてもよい。
【手続補正５】
【補正対象書類名】明細書
【補正対象項目名】０１１８
【補正方法】変更
【補正の内容】
【０１１８】
尚、第１の減圧パネル４１０が容器１０００の内側に向かって伸縮すると、第１の減圧パネル４１０は、ねじれもする。ねじれは、非対称な凹部形状を特徴とし得る。例えば、図１６Ｂでは、部分１６０１及び１６０２は、１６００における仮想縦軸に沿って対称である。しかしながら、図１６Ａよりも凹んだ図１６Ｃは、１６００に引かれた仮想垂直軸１６００に沿って対称ではない。むしろ、１６０２は、部分１６００及び１６０１よりも容器１０００の内側に向かってより長い距離を移動した。この差は図１６Ｄに、より明白である。図１６Ｅ〜図１６Ｆは、１６００及び１６０２よりも部分１６０１がより内側へ移動した表面を示す。図１６Ｂ〜図１６Ｆは、図１６Ａの表面と比較して凹部が増大した表面を示すが、これらの表面のねじれは互いに異なる。
【手続補正６】
【補正対象書類名】明細書
【補正対象項目名】０１２４
【補正方法】変更
【補正の内容】
【０１２４】
いくつかの実施形態では、本体部分４００はまた、消費者により容器が把握されかつ把捉されることを可能にする形状であってもよい。例えば、いくつかの実施形態では、第１の減圧パネル４１０は、図１に見られるように、把握及び摩擦を助長するように、離間したリブ部分を有してもよい。直径方向に対向する２つの第１の減圧パネルを有する実施形態では、両方の第１の減圧パネル４１０は、ユーザの親指及びユーザの４本の指を収容するためのリブ部分を有する。